(57)【要約】【課題】  レーザ光源から出射されるレーザ光の波長を安定化することができるホログラム記録再生装置及びホログラム記録再生方法を提供すること。【解決手段】  レーザチップモードによるモードホップ帯域を避けつつレーザ電流の値を波長の急変する２つのモードホップの間の安定帯域のほぼ中央の値となるように設定して記録モードを実行し、しかも温度変化に応じてレーザ光源電流設定モードを実行しているので、レーザ光源１１１から出射されるレーザ光の波長を安定化することが可能となる。【選択図】  図１２
2006171380.tif 000002
【特許請求の範囲】
【請求項１】
レーザ光を信号光と参照光とに分離し、分離した信号光及び参照光をホログラム記録媒体に入射してホログラムを記録する及び／又は参照光をホログラム記録媒体に入射してホログラムを再生するホログラム記録再生装置であって、
前記レーザ光を出射するレーザ光源と、
前記レーザ光の波長を計測する計測手段と、
前記レーザ光源に供給される電流を増減させて前記計測手段によりレーザ光の波長を測定し、当該測定結果に基づき波長変動の影響が小さくなるように前記レーザ光源に供給される電流を設定する設定手段と
を具備することを特徴とするホログラム記録再生装置。
【請求項２】
請求項１に記載のホログラム記録再生装置であって、
前記設定手段により前記レーザ光源に供給される電流を設定するときには、前記ホログラム記録媒体に入射するレーザ光を遮蔽する遮蔽手段
を更に具備することを特徴とするホログラム記録再生装置。
【請求項３】
請求項１に記載のホログラム記録再生装置であって、
前記設定手段は、前記レーザ光源に供給される電流を増加させてレーザ光の波長が急激に変化する第１の電流値を検出し、前記レーザ光源に供給される電流を減少させてレーザ光の波長が急激に変化する第２の電流値を検出し、前記第１の電流値と前記第２の電流値とのほぼ中間の電流値を前記レーザ光源に供給する電流として設定する
ことを特徴とするホログラム記録再生装置。
【請求項４】
請求項３に記載のホログラム記録再生装置であって、
前記設定手段は、前記レーザ光源に供給される電流を増加させてレーザ光の波長が最大となる第３の電流値を検出し、前記レーザ光源に供給される電流を減少させてレーザ光の波長が最小となる第４の電流値を検出し、前記第１の電流値が前記第３の電流値を超えず、かつ、前記第２の電流値が前記第４の電流値よりも小さくならないような範囲を設定し、当該範囲内で前記第１及び第２の電流値を検出して前記レーザ光源に供給する電流を設定する
ことを特徴とするホログラム記録再生装置。
【請求項５】
請求項４に記載のホログラム記録再生装置であって、
前記レーザ光源の温度を検出する温度検出手段を更に具備し、
前記設定手段は、前記温度検出手段により検出される温度が所定以上変化したとき、前記レーザ光源に供給する電流を再設定する
ことを特徴とするホログラム記録再生装置。
【請求項６】
請求項５に記載のホログラム記録再生装置であって、
前記設定手段は、前記第１及び第２の電流値を検出して前記レーザ光源に供給する電流を再設定する動作については、所定時間が経過するごとにも行う
ことを特徴とするホログラム記録再生装置。
【請求項７】
請求項４に記載のホログラム記録再生装置であって、
前記設定手段は、前記計測手段により計測される波長が所定以上変化したとき、前記レーザ光源に供給する電流を再設定する
ことを特徴とするホログラム記録再生装置。
【請求項８】
請求項４に記載のホログラム記録再生装置であって、
前記設定手段は、所定時間が経過するごとに、前記レーザ光源に供給する電流を再設定する
ことを特徴とするホログラム記録再生装置。
【請求項９】
請求項１に記載のホログラム記録再生装置であって、
前記レーザ光源は、外部共振器型レーザである
ことを特徴とするホログラム記録再生装置。
【請求項１０】
レーザ光を信号光と参照光とに分離し、分離した信号光及び参照光をホログラム記録媒体に入射してホログラムを記録する及び／又は参照光をホログラム記録媒体に入射してホログラムを再生するホログラム記録再生方法であって、
前記レーザ光をレーザ光源から出射し、
前記レーザ光源に供給される電流を増減させて前記レーザ光源から出射されるレーザ光の波長を測定し、
前記測定した結果に基づき波長変動の影響が小さくなるように前記レーザ光源に供給される電流を設定する
ことを特徴とするホログラム記録再生方法。
【請求項１１】
請求項１０に記載のホログラム記録再生方法であって、
前記レーザ光の波長を測定するとき及び前記レーザ光源に供給される電流を設定するときには、前記ホログラム記録媒体に入射するレーザ光を遮蔽する
ことを特徴とするホログラム記録再生方法。
【請求項１２】
請求項１０に記載のホログラム記録再生方法であって、
前記レーザ光の波長の測定及び前記レーザ光源に供給される電流の設定は、前記レーザ光源に供給される電流を増加させてレーザ光の波長が急激に変化する第１の電流値を検出し、前記レーザ光源に供給される電流を減少させてレーザ光の波長が急激に変化する第２の電流値を検出し、前記第１の電流値と前記第２の電流値とのほぼ中間の電流値を前記レーザ光源に供給する電流として設定する
ことを特徴とするホログラム記録再生方法。
【請求項１３】
請求項１２に記載のホログラム記録再生方法であって、
前記レーザ光の波長の測定及び前記レーザ光源に供給される電流の設定は、前記レーザ光源に供給される電流を増加させてレーザ光の波長が最大となる第３の電流値を検出し、前記レーザ光源に供給される電流を減少させてレーザ光の波長が最小となる第４の電流値を検出し、前記第１の電流値が前記第３の電流値を超えず、かつ、前記第２の電流値が前記第４の電流値よりも小さくならないような範囲を設定し、当該範囲内で前記第１及び第２の電流値を検出して前記レーザ光源に供給する電流を設定する
ことを特徴とするホログラム記録再生方法。
【請求項１４】
請求項１３に記載のホログラム記録再生方法であって、
前記レーザ光の波長の測定及び前記レーザ光源に供給される電流の設定は、前記レーザ光源の温度が所定以上変化したとき、前記レーザ光源に供給する電流を再設定する
ことを特徴とするホログラム記録再生方法。
【請求項１５】
請求項１４に記載のホログラム記録再生方法であって、
前記レーザ光の波長の測定及び前記レーザ光源に供給される電流の設定は、前記第１及び第２の電流値を検出して前記レーザ光源に供給する電流を再設定する動作については、所定時間が経過するごとにも行う
ことを特徴とするホログラム記録再生方法。
【請求項１６】
請求項１３に記載のホログラム記録再生方法であって、
前記レーザ光の波長の測定及び前記レーザ光源に供給される電流の設定は、前記計測される波長が所定以上変化したとき、前記レーザ光源に供給する電流を再設定する
ことを特徴とするホログラム記録再生方法。
【請求項１７】
請求項１３に記載のホログラム記録再生方法であって、
前記レーザ光の波長の測定及び前記レーザ光源に供給される電流の設定は、所定時間が経過するごとに、前記レーザ光源に供給する電流を再設定する
ことを特徴とするホログラム記録再生方法。
【請求項１８】
請求項１０に記載のホログラム記録再生方法であって、
前記レーザ光源は、外部共振器型レーザである
ことを特徴とするホログラム記録再生方法。
【発明の詳細な説明】
【技術分野】
【０００１】
本発明は、ホログラム記録再生装置及びホログラム記録再生方法に関する。
【背景技術】
【０００２】
ホログラフィを使ってデータを記録するホログラム記録再生装置の開発が進められている。
【０００３】
ホログラム記録再生装置では、変調された（データが重畳された）信号光、変調されない参照光の２つをレーザ光から生成し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００４】
記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる。
【０００５】
従来のホログラム記録再生装置において、レーザ光源として固体レーザやガスレーザを用いた場合にはレーザの直接変調はできないため、メカニカルシャッターやAOM (Acoust Optic Modulator)などの変調素子を用いてレーザが光源を出た後にビームの変調をかける装置が提案されてきた。それらの装置を用いた場合には光学系として小型化という意味ではどうしても制限されてしまい、また装置としても安価に作成することが不可能となる。
【０００６】
このようなホログラム記録再生装置において、レーザダイオードを用いることができればそれらの問題を解決できる。そこで、レーザダイオードのコヒーレンスをあげるために外部共振器型レーザの提案も行われている（例えば、特許文献１参照。）。レーザダイオードを光源として用いた場合には、レーザの直接変調が可能となるため、出射後に記録のためのビーム変調用の装置を用いる必要がなくなる。  
【特許文献１】特開１１−１０７３７７号公報（段落[００２８]〜[００３１]、図１）
【発明の開示】
【発明が解決しようとする課題】
【０００７】
しかしながら、このような外部共振器型レーザにおいては、レーザダイオードに流す電流に対して発振する波長が急峻に変化するモードホップの帯域が細かく存在している。このため、このようなモードホップ帯域の付近の電流でレーザダイオードを発振させると、発振する波長が不安定となり、ホログラム記録媒体に対する記録再生特性が悪化するという欠点があった。
【０００８】
以上のような事情に鑑み、本発明の目的は、レーザ光源から出射されるレーザ光の波長を安定化することができるホログラム記録再生装置及びホログラム記録再生方法を提供することにある。
【課題を解決するための手段】
【０００９】
Ａ．かかる課題を解決するため、本発明に係るホログラム記録再生装置は、レーザ光を信号光と参照光とに分離し、分離した信号光及び参照光をホログラム記録媒体に入射してホログラムを記録する及び／又は参照光をホログラム記録媒体に入射してホログラムを再生するホログラム記録再生装置であって、前記レーザ光を出射するレーザ光源と、前記レーザ光の波長を計測する計測手段と、前記レーザ光源に供給される電流を増減させて前記計測手段によりレーザ光の波長を測定し、当該測定結果に基づき波長変動の影響が小さくなるように前記レーザ光源に供給される電流を設定する設定手段とを具備するものである。
【００１０】
ここで、レーザ光源としては、外部共振器型レーザを代表的なものとして挙げることができる。また、レーザ光源から出射されるレーザ光の波長変動とは、レーザ光源に供給される電流に応じて起こりうることで、特に所定の電流の帯域では電流の増加に伴い波長の変動が急峻に上昇するモードホップが生じる。本発明は、このモードホップが生じる電流の帯域を避けるように、つまり波長変動の影響が小さくなるようにレーザ光源に供給される電流を設定するものである。本発明では、モードホップする波長の帯域を避けるようにレーザ光源に供給される電流を設定することで、レーザ光源から出射されるレーザ光の波長を安定化することが可能となる。
【００１１】
また、本発明では、このようにレーザ光源に供給される電流を設定する際にレーザ光源に供給される電流を増減させ、それに応じて計測手段によりレーザ光の波長を測定し、上記のモードホップ帯域を検出していることになるので、小さなモードホップ帯域も漏らさず検出可能となる。よって、この小さく細かなモードホップ帯域までも避けるようにしてレーザ光源に供給される電流を設定することができ、レーザ光源から出射されるレーザ光の波長を高精度に安定化することが可能となる。
（１）前記設定手段により前記レーザ光源に供給される電流を設定するときには、前記ホログラム記録媒体に入射するレーザ光を遮蔽する遮蔽手段を設けることが好ましい。
【００１２】
遮蔽手段としては、メカニカルなシャッターや液晶装置等を用いることができる。
【００１３】
遮蔽手段を設けることで、電流設定のための期間（波長が不安定な期間）、ホログラム記録媒体にレーザ光が照射されなくなり、ホログラム記録媒体にノイズが記録されることを防止することができる。
（２）前記設定手段は、前記レーザ光源に供給される電流を増加させてレーザ光の波長が急激に変化する第１の電流値を検出し、前記レーザ光源に供給される電流を減少させてレーザ光の波長が急激に変化する第２の電流値を検出し、前記第１の電流値と前記第２の電流値とのほぼ中間の電流値を前記レーザ光源に供給する電流として設定することが好ましい形態である。
【００１４】
隣り合う２つのモードホップの中間付近における電流値をレーザ光源に供給する電流として設定することで、モードホップの影響を極力避けることが可能となる。
（３）前記設定手段は、前記レーザ光源に供給される電流を増加させてレーザ光の波長が最大となる第３の電流値を検出し、前記レーザ光源に供給される電流を減少させてレーザ光の波長が最小となる第４の電流値を検出し、前記第１の電流値が前記第３の電流値を超えず、かつ、前記第２の電流値が前記第４の電流値よりも小さくならないような範囲を設定し、当該範囲内で前記第１及び第２の電流値を検出して前記レーザ光源に供給する電流を設定することがより好ましい形態である。
【００１５】
レーザ光の波長が最大及び最小となる帯域は電流の増加に伴い波長が急峻に減少する。これはレーザチップモードによるモードホップ帯域である。このようなレーザチップモードによるモードホップ帯域を避けるようにレーザ光源に供給する電流を設定することが可能となる。
（４）前記レーザ光源の温度を検出する温度検出手段を更に具備し、前記設定手段は、前記温度検出手段により検出される温度が所定以上変化したとき、前記レーザ光源に供給する電流を再設定することが一の形態である。
【００１６】
例えば、隣り合う２つのモードホップの中間付近における電流値をレーザ光源に供給する電流として設定しても温度変化によってその中間からずれ、ときにはレーザチップモードによるモードホップ帯域にまでずれる可能性がある。よって、温度変化をトリガーとしてレーザ光源に供給する電流を再設定することで、長期に亘りレーザ光源から出射されるレーザ光の波長を安定化することが可能となる。
（５）前記設定手段は、前記第１及び第２の電流値を検出して前記レーザ光源に供給する電流を再設定する動作については、所定時間が経過するごとにも行うことが一の形態である。
【００１７】
２つのモードホップの中間付近における電流値は経時変化するので、時間をトリガーとしてレーザ光源に供給する電流を再設定することで、長期に亘りレーザ光源から出射されるレーザ光の波長を高精度に安定化することが可能となる。
（６）前記設定手段は、前記計測手段により計測される波長が所定以上変化したとき、前記レーザ光源に供給する電流を再設定することも一の形態である。
【００１８】
波長をトリガーとしてレーザ光源に供給する電流を再設定することで、長期に亘りレーザ光源から出射されるレーザ光の波長を高精度に安定化することが可能となる。
（７）前記設定手段は、所定時間が経過するごとに、前記レーザ光源に供給する電流を再設定することが一の形態である。
【００１９】
時間をトリガーとしてレーザ光源に供給する電流を再設定することで、長期に亘りレーザ光源から出射されるレーザ光の波長を安定化することが可能となる。
Ｂ．本発明の別の観点に係るホログラム記録再生方法は、レーザ光を信号光と参照光とに分離し、分離した信号光及び参照光をホログラム記録媒体に入射してホログラムを記録する及び／又は参照光をホログラム記録媒体に入射してホログラムを再生するホログラム記録再生方法であって、前記レーザ光をレーザ光源から出射し、前記レーザ光源に供給される電流を増減させて前記レーザ光源から出射されるレーザ光の波長を測定し、前記測定した結果に基づき波長変動の影響が小さくなるように前記レーザ光源に供給される電流を設定することを特徴とするものである。
【００２０】
本発明では、モードホップする波長の帯域を避けるようにレーザ光源に供給される電流を設定することで、レーザ光源から出射されるレーザ光の波長を安定化することが可能となる。加えて、小さく細かなモードホップ帯域までも避けるようにしてレーザ光源に供給される電流を設定することができるので、レーザ光源から出射されるレーザ光の波長を高精度に安定化することが可能となる。
（１）前記レーザ光の波長を測定するとき及び前記レーザ光源に供給される電流を設定するときには、前記ホログラム記録媒体に入射するレーザ光を遮蔽することが好ましい。
【００２１】
これにより、ホログラム記録媒体にノイズが記録されることを防止することができる。
（２）前記レーザ光の波長の測定及び前記レーザ光源に供給される電流の設定は、前記レーザ光源に供給される電流を増加させてレーザ光の波長が急激に変化する第１の電流値を検出し、前記レーザ光源に供給される電流を減少させてレーザ光の波長が急激に変化する第２の電流値を検出し、前記第１の電流値と前記第２の電流値とのほぼ中間の電流値を前記レーザ光源に供給する電流として設定することが好ましい形態である。
【００２２】
これにより、モードホップの影響を極力避けることが可能となる。
（３）前記レーザ光の波長の測定及び前記レーザ光源に供給される電流の設定は、前記レーザ光源に供給される電流を増加させてレーザ光の波長が最大となる第３の電流値を検出し、前記レーザ光源に供給される電流を減少させてレーザ光の波長が最小となる第４の電流値を検出し、前記第１の電流値が前記第３の電流値を超えず、かつ、前記第２の電流値が前記第４の電流値よりも小さくならないような範囲を設定し、当該範囲内で前記第１及び第２の電流値を検出して前記レーザ光源に供給する電流を設定することがより好ましい形態である。
【００２３】
これにより、レーザチップモードによるモードホップ帯域を避けるようにレーザ光源に供給する電流を設定することが可能となる。
（４）前記レーザ光の波長の測定及び前記レーザ光源に供給される電流の設定は、前記レーザ光源の温度が所定以上変化したとき、前記レーザ光源に供給する電流を再設定することが一の形態である。
【００２４】
これにより、長期に亘りレーザ光源から出射されるレーザ光の波長を安定化することが可能となる。
（５）前記レーザ光の波長の測定及び前記レーザ光源に供給される電流の設定は、前記第１及び第２の電流値を検出して前記レーザ光源に供給する電流を再設定する動作については、所定時間が経過するごとにも行うことが一の形態である。
【００２５】
これにより、長期に亘りレーザ光源から出射されるレーザ光の波長を高精度に安定化することが可能となる。
（６）前記レーザ光の波長の測定及び前記レーザ光源に供給される電流の設定は、前記計測される波長が所定以上変化したとき、前記レーザ光源に供給する電流を再設定することも一の形態である。
【００２６】
これにより、長期に亘りレーザ光源から出射されるレーザ光の波長を高精度に安定化することが可能となる。
（７）前記レーザ光の波長の測定及び前記レーザ光源に供給される電流の設定は、所定時間が経過するごとに、前記レーザ光源に供給する電流を再設定することが一の形態である。
【００２７】
これにより、長期に亘りレーザ光源から出射されるレーザ光の波長を安定化することが可能となる。
【発明の効果】
【００２８】
以上のように、本発明によれば、モードホップする波長の帯域を避けるようにレーザ光源に供給される電流を設定しているので、レーザ光源から出射されるレーザ光の波長を安定化することが可能となる。また、本発明では、このようにレーザ光源に供給される電流を設定する際にレーザ光源に供給される電流を増減させてレーザ光の波長を測定し、上記のモードホップ帯域を検出しているので、小さく細かなモードホップ帯域までも避けるようにしてレーザ光源に供給される電流を設定することができ、レーザ光源から出射されるレーザ光の波長を高精度に安定化することが可能となる。
【発明を実施するための最良の形態】
【００２９】
以下、本発明の実施の形態を図面に基づき説明する。
［ホログラム記録装置の構成例］
【００３０】
図１は、本発明の一実施形態に係るホログラム記録装置を表す模式図である。
【００３１】
図１に示すように、ホログラム記録装置１００は、ホログラム記録媒体１０１にホログラムを記録するものである。なお、ここでは、記録系だけを示したが、再生系が混在していても勿論構わない。
【００３２】
ホログラム記録装置１００は、レーザ光源１１１、シャッター１１２、ビームエキスパンダー１１３、ビームスプリッタ１１４、空間光変調器１１５、ミラー１１６、信号光用対物レンズ１１７、ミラー１１８、参照光用対物レンズ１１９を有すると共に、波長安定化制御回路１２０、ホストコンピュータ１２１を有する。
【００３３】
ホログラム記録媒体１０１は、図示を省略するが、例えば記録層及び記録層を外界から保護するための保護層などを有し、信号光と参照光による干渉縞を記録する記録媒体である。
【００３４】
記録層は、この干渉縞を屈折率（あるいは、透過率）の変化として記録するものであり、光の強度に応じて屈折率（あるいは、透過率）の変化が行われる材料であれば、有機材料、無機材料の別を問うことなく利用可能である。
【００３５】
無機材料として、例えば、ニオブ酸リチウム（ＬｉＮｂＯ３）のような電気光学効果によって露光量に応じ屈折率が変化するフォトリフラクティブ材料を用いることができる。有機材料として、例えば、光重合型フォトポリマを用いることができる。光重合型フォトポリマは、その初期状態では、モノマがマトリクスポリマに均一に分散している。これに光が照射されると、露光部でモノマが重合し、屈折率が変化する。
【００３６】
以上のように、記録層の屈折率（あるいは透過率）が露光量に応じて変化することで、参照光と信号光との干渉によって生じる干渉縞を屈折率（あるいは透過率）の変化としてホログラム記録媒体１０１に記録できる。
【００３７】
ホログラム記録媒体１０１は、図示しない駆動手段でカード型の場合は移動、またはディスク型の場合は回転され、空間光変調器１１５の像を多数のホログラムとして記録することができる。ホログラム記録媒体１０１が移動することから、ホログラム記録媒体１０１上への記録・再生は移動方向に形成されたトラックに沿って行われる。
【００３８】
なお、ホログラム記録媒体１０１には、ホログラム記録媒体１０１へのトラッキング、フォーカス等のサーボ制御を行うためのグルーブを有する層を設けることが好ましい。
【００３９】
また、ホログラム記録媒体１０１に反射層を設けることで、反射型の記録媒体を構成することができる。
【００４０】
レーザ光源１１１は、レーザ光を出射するものであり、例えば図２に示すように構成され、レーザダイオード１３１、コリメートレンズ１３２、回折格子１３３、温度検出部１３４を有する。
【００４１】
レーザダイオード１３１は、マルチモードのレーザ光を発光、例えば４１０ｎｍ程度のブルーのレーザ光を発光するものである。コリメートレンズ１３２は、レーザダイオード１３１により発光されたレーザ光を平行光とする。回折格子１３２は、波長ごとに異なる方向へ１次光を発生し、そのうち特定波長（例えば４１０ｎｍ）の１次光がレーザダイオード１３１戻るようにレーザダイオード１３１との間の角度が設定されている。これにより、レーザダイオード１３１内でその波長成分だけが増大し、シングルモードとなる。レーザダイオード１３１により発光されるレーザ光の大半は、１次光ではなく０次光であり、回折格子１３３でミラーのように反射する。つまり、このレーザ光源１１１は、基本的にはＬｉｔｔｒｏｗ型外部共振器レーザである。また、温度検出部１３４は、レーザダイオード１３１の温度を検出するもので、例えばサーミスタや半導体温度センサにより構成され、その検出結果はホストコンピュータ１２１に送られる。
【００４２】
シャッター１１２は、例えば液晶装置により構成され、ホストコンピュータ１２１の制御により、開閉が制御される。具体的には、ホログラム記録媒体１０１にホログラムを記録するときにはシャッター１１２は開とされ、後述するレーザダイオード１３１の電流設定時にはシャッター１１２は閉とされる。
【００４３】
ビームエキスパンダー１１３は、レーザ光源１１１から出射されたレーザ光のビーム径を空間光変調器１１５により変調可能な大きさに拡張する光学素子である。
【００４４】
ビームスプリッタ１１３は、シャッター１１２を介してレーザ光源１１１から入射した平行光を信号光と参照光に分割する光学素子である。
【００４５】
空間光変調器１１５は、信号光を空間的に（ここでは、２次元的に）変調して、データを重畳する光学素子である。空間光変調器１１５は、透過型の素子である透過型液晶素子を用いることができる。なお、空間光変調器に反射型の素子であるDMD (Digital micro mirror) や反射型液晶、GLV (Grating Light Value)素子を用いることが可能である。なお、空間光変調器１１５は、速い応答性をもったものである必要があり、応答速度として例えば１ｍｓ以下であることが望ましい。また、空間光変調器１１５は、ホストコンピュータ１２１によりその駆動が制御される。
【００４６】
ミラー１１６、１１７は、それぞれ入射したレーザ光の光路を所望の方向に変更する光学素子である。
【００４７】
信号光用対物レンズ１１７及び参照光用対物レンズ１１９は、それぞれ信号光、参照光をホログラム記録媒体１０１に集光するための光学素子である。
【００４８】
本実施形態に係るホログラム記録装置１００では、図１には図示をしていないが、レーザ光源１１１とシャッター１１２との間に、レーザ光源１１１から出射されるレーザ光の波長を検出するための波長検出手段を備える。図３はその一例を示すものである。
【００４９】
レーザ光源１１１から出射されたレーザ光はグレーティング１４１で反射回折され、０次光と１次光とに分離される。１次光の回折角θは入射するレーザ光の波長に依存するため、波長が変化するとディテクタ１４２上で矢印Ｘの方向に移動する。
【００５０】
従って、波長の変化はディテクタ１４２上のレーザ光の位置を検出すればよい。よって、例えば図４に示すように、ディテクタ１４２として位置検出素子（ＰＳＤ）を使用することができる。ＰＳＤは１素子により構成されており、その受光素子上にレーザ光Ｓ１が入射され、波長の変化に伴いＸで示した矢印の方向に移動するようにされている。
【００５１】
ＰＳＤから出力される光電流Ａ、Ｂの検出結果はホストコンピュータ１２１に送られる。そして、レーザ光の発振波長の変化は、光電流Ａ、Ｂを以下の演算式により求めることができる。
【００５２】
波長の変化＝（Ａ−Ｂ）／（Ａ＋Ｂ）
【００５３】
なお、図３に示した０次光は、波長変化の影響を受けず、ホログラムの記録用に使用される。
【００５４】
図５は波長検出手段の別の例を示したものである。
【００５５】
この例では、レーザ光源１１１より出射したレーザ光は長さ方向でわずかに厚みの違うオプティカルウエッジ１４３に入射し、オプティカルウエッジ１４３の表面で反射したレーザ光Ｓ２及びオプティカルウエッジ１４３の裏面で反射したレーザ光Ｓ３がフォトディテクタ１４４に入射する。
【００５６】
フォトディテクタ１４４上では、図６に示すように、レーザ光Ｓ２とＳ３とが干渉縞Ｉが発生する。発生する干渉縞Ｉは複数本あり、そのうちの２本が２分割されたフォトディテクタ１４４上に照射されるように２分割されたフォトディテクタ１４４の間隔と幅が設定されている。
【００５７】
レーザ光源１１１より出射したレーザ光の発振波長がわずかに変化するとオプティカルウエッジ１４３の作用により干渉縞Ｉはフォトディテクタ１４４上で矢印Ｘの方向に移動する。フォトディテクタ１４４の出力電流Ａ、Ｂの検出結果はホストコンピュータ１２１に送られる。そして、レーザ光の発振波長の変化は、出力電流Ａ、Ｂを以下の演算式により求めることができる。
【００５８】
波長の変化＝（Ａ−Ｂ）／（Ａ＋Ｂ）
【００５９】
なお、ホログラム記録にはオプティカルウエッジ１４３を透過しレーザ光により行われる。
［ホログラム記録装置の動作］
【００６０】
この実施形態に係るホログラム記録装置では記録モードとレーザ光源電流設定モードがある
【００６１】
ここで、図７（ａ）に示すように、記録モードではホストコンピュータ１２１の制御によりシャッター１１２は開とされ、レーザ光源電流設定モードではホストコンピュータ１２１の制御によりシャッター１１２は閉とされる。なお、図７（ｃ）は後述するレーザダイオード１３１へのレーザ電流を示し、図７（ｂ）はこれに応じた発振波長の変化を示している。
Ａ．記録モード
【００６２】
レーザ光源１１１から出射されたレーザ光はシャッター１１２を通過して、ビームエキスパンダー１１３によりビーム径が拡張される。
【００６３】
ビーム径が拡張されたレーザ光はビームスプリッタ１１４によって信号光と参照光とに分割される。
【００６４】
信号光は空間光変調器１１５によって空間的に強度変調される。空間光変調器１１５で光変調されたレーザ光はミラー１１６によって反射され、信号光用対物レンズ１１７を介してホログラム記録媒体１０１に照射される。
【００６５】
参照光はミラー１１８で反射され、参照光用対物レンズ１１９を介してホログラム記録媒体１０１に照射される。
【００６６】
そして、信号光用対物レンズ１１７及び参照光用対物レンズ１１９がそれぞれ信号光と参照光とをホログラム記録媒体１０１上の略同一の箇所に集光することで、ホログラム記録媒体１０１上に干渉縞が形成される。この結果、空間光変調器１１５によって空間変調された情報がホログラム記録媒体１０１上にホログラムとして記録される。
Ｂ．レーザ光源電流設定モード
【００６７】
レーザ光源１１１としてレーザダイオード１３１を使用した外部共振器型レーザでは、レーザダイオード１３１に供給される電流（レーザ電流）の変化により発振波長が変化し、既に述べた通りホログラムの記録再生に不具合な波長帯域がある。また、温度変化によっても発振波長の変化が起こる。
【００６８】
図８はレーザ電流と波長変化との関係を示したグラフである。図８中の「Ａ」「Ｃ」の電流の帯域では、電流の増加に伴い波長の変動が急峻に上昇するモードホップＥが細かく生じていることが分かる。また、図８中のレーザ光の波長が最大及び最小となる「Ｂ」「Ｄ」の電流の帯域では、電流の増加に伴い波長が極めて大きく急峻に減少する。
【００６９】
図９は温度変化によっても発振波長が変化する様子を示した概略グラフであり、例えば温度変化によって波長変化特性がＦからＧに変動する。
【００７０】
レーザ光源電流設定モードは、このような波長変動する帯域を避けるようにレーザ光源のレーザ電流を設定するものである。
【００７１】
以下、図１０に示すフローチャートに基づいてレーザ光源電流設定モードを説明する。
【００７２】
レーザ光源１１１の温度検出部１３４の検出結果はホストコンピュータ１２１に送られている。
【００７３】
ホストコンピュータ１２１は、温度検出部１３４の検出結果からレーザダイオード１３１の温度が所定以上変化したと判断すると、ホストコンピュータ１２１は波長安定化制御回路１２０にレーザ光源電流設定モードの制御指令を出力する（ステップ１００１）。
【００７４】
波長安定化制御回路１２０では、レーザ光源電流設定モードの制御指令を入力すると、ステップ１００２に示す以下の動作を実行する。
（１）現在レーザダイオード１３１に供給されているレーザ電流の値を記憶する（ステップ１００３）。
（２）図１１の矢印Ａに示すように、除々にレーザ電流を増加して行き波長電圧の最大値Ｖｍａｘを記憶する（ステップ１００４）。
（３）図１１の矢印Ｂに示すように、除々にレーザ電流を減少して行き波長電圧の最小値Ｖｍｉｎを記憶する（ステップ１００５）。
（４）レーザ電流を最初の値にセットする（ステップ１００６）。
（５）以上の動作により波長電圧の最大値Ｖｍａｘと最小値Ｖｍｉｎが測定され、この値よりホログラム記録にとって有害なレーザチップモードによるモードホップ帯域のレーザパワーにならないよう各リミット値が設定される（ステップ１００７）。
（６）図１２はレーザ電流対波長変化の特性の一部を拡大したもので、現在流しているレーザ電流に対応した波長変化の電圧値をＰとする。ステップ１００８において、Ｐ点よりレーザ電流を図１２中矢印Ａに示すように増加させて行き急激に波長が変化した電圧値Ｖ１を検出し、ここでのレーザ電流値をＬＤ１とする。
【００７５】
電圧値Ｖ１を検出したら今度はレーザ電流を図１２中矢印Ｂに示すように減少させて行き、Ｐよりも１段低く波長が変化した電圧値Ｖ２を検出し、ここでのレーザ電流値をＬＤ２とする。
【００７６】
そして、(ＬＤ１＋ＬＤ２)／２（本発明はこれに近似した計算手法、値でも勿論構わない。）の演算を行い、この結果の電流値をレーザダイオード１３１に流すと、図１２中Ｑで示した位置にレーザ電流が設定される。すなわち、その電流値は、波長の急変する２つのモードホップの間の安定帯域のほぼ中央の値となる。
【００７７】
このときの動作波形を図１３に示す。
（７）このように設定された値のレーザ電流によって上記した記録モードを実行する（ステップ１００９）。
【００７８】
以上のように本実施形態では、レーザチップモードによるモードホップ帯域を避けつつレーザ電流の値を波長の急変する２つのモードホップの間の安定帯域のほぼ中央の値となるように設定して記録モードを実行し、しかも温度変化に応じてレーザ光源電流設定モードを実行しているので、レーザ光源１１１から出射されるレーザ光の波長を安定化することが可能となる。
［他の実施形態］
（１）上記の実施形態では、温度変化をトリガーとしてレーザ光源電流設定モードを実行していたが、図１４に示すように、ディテクタ１４２等の波長検出手段を用いて波長の変化があったとき、すなわち波長電圧の変化があったときに（ステップ１４０１）、レーザ光源電流設定モードを実行するようにしてもよい。
（２）また、図１５に示すように、一定時間が経過したときに（ステップ１５０１）、レーザ光源電流設定モードを実行するようにしてもよい。
（３）更に、図１６に示すように、温度変化があったときに（ステップ１６０１）、レーザ光源電流設定モードを実行するようととも、一定時間が経過したときに（ステップ１６０２）、ステップ１００９を実行するようにしてもよい。
（４）また更に、以上のトリガーを組み合わせても勿論構わない。
（５）上記の実施形態は、ホログラム記録装置を例にとり説明したが、ホログラムの再生だけを行う装置やホログラムの記録及び再生の両方を行う装置にも本発明を適用することができる。
【図面の簡単な説明】
【００７９】
【図１】本発明の一実施形態に係るホログラム記録装置を表す模式図である。
【図２】図１に示したホログラム記録装置におけるレーザ光源を表す模式図である。
【図３】レーザ光源の波長を検出する構成を示す図である。
【図４】図３に示したディテクタを構成する位置検出素子の説明図である。
【図５】レーザ光源の波長を検出する他の構成を示す図である。
【図６】図５に示したフォトディテクタの説明図である。
【図７】図１に示したシャッターの動作を説明図である。
【図８】レーザ電流対波長変化の一例を示すグラフである。
【図９】温度変化による波長の変化の一例を示すグラフである。
【図１０】レーザ光源電流設定モードの動作を示すフローチャートである。
【図１１】レーザチップモードによるモードホップ帯域のレーザパワーを避けるためのリミット値を設定するための動作説明図である。
【図１２】モードホップを避けるレーザ電流の設定のための動作説明図である。
【図１３】図１２に示す動作時のレーザ電流と波長の変化の測定結果を示すグラフである。
【図１４】レーザ光源電流設定モードの他の動作を示すフローチャートである。
【図１５】レーザ光源電流設定モードの更に別の動作を示すフローチャートである。
【図１６】レーザ光源電流設定モードのまた別の動作を示すフローチャートである。
【符号の説明】
【００８０】
１００  ホログラム記録装置
１１１  レーザ光源
１１２  シャッター
１１３  ビームエキスパンダー
１１４  ビームスプリッタ
１１５  空間光変調器
１１６  ミラー
１１７  信号光用対物レンズ
１１８  ミラー
１１９  参照光用対物レンズ
１２０  波長安定化制御回路
１２１  ホストコンピュータ
１３１  レーザダイオード
１３２  コリメートレンズ
１３３  回折格子
１３４  温度検出部
１４１  グレーティング
１４２  ディテクタ
１４３  オプティカルウエッジ
１４４  フォトディテクタ
【図１】
2006171380.tif 000003
【図２】
2006171380.tif 000004
【図３】
2006171380.tif 000005
【図４】
2006171380.tif 000006
【図５】
2006171380.tif 000007
【図６】
2006171380.tif 000008
【図７】
2006171380.tif 000009
【図８】
2006171380.tif 000010
【図９】
2006171380.tif 000011
【図１０】
2006171380.tif 000012
【図１１】
2006171380.tif 000013
【図１２】
2006171380.tif 000014
【図１３】
2006171380.tif 000015
【図１４】
2006171380.tif 000016
【図１５】
2006171380.tif 000017
【図１６】
2006171380.tif 000018